(57)【特許請求の範囲】
【請求項１】
それぞれ２本の垂直支柱の相互間に水平梁が取り付けられた門形の足場フレームを有し、相互に対向して配置された前記足場フレームの前記水平梁に足場板が装着される仮設足場ユニットにおける前記足場板の側辺から物体が落下するのを防止する仮設作業台用の幅木であって、
弾性変形する部材により形成され、前記足場板の側辺に沿って水平方向に伸びて前記垂直支柱に取り付けられる帯状の幅木本体を有し、
前記垂直支柱に当接する上端エッジと当該上端エッジよりも下方の部分で前記垂直支柱に当接する中央当接部との間に屈曲して形成され、前記上端エッジと前記中央当接部とがそれぞれ前記垂直支柱に当接した状態のもとで、前記垂直支柱に取り付けられるクランプ部材と前記垂直支柱との間で挟み付けられる固定用屈曲部を、前記幅木本体の一方側部を屈曲して形成し、
前記固定用屈曲部の前記中央当接部から前記足場板に向けて傾斜し前記足場板に当接する下端エッジを有する弾性変形部を、前記幅木本体の他方側部を屈曲して形成し、
前記弾性変形部の弾性変形により前記下端エッジを前記足場板の側辺の位置に対応させてずらし、前記足場板の側辺上方を覆うことを特徴とする仮設作業台用の幅木。
【請求項２】
相互に平行に敷設されるとともにそれぞれ手摺り用の垂直支柱が設けられる複数の水平梁材の間に前記水平梁材に対して横方向に伸びて支持棒材が取り付けられ、当該支持棒材に足場板が装着される仮設通路ないし仮設作業台における前記足場板の側辺から物体が落下するのを防止する仮設作業台用の幅木であって、
弾性変形する部材により形成され、前記足場板の側辺に沿って水平方向に伸びて前記垂直支柱に取り付けられる帯状の幅木本体を有し、
前記垂直支柱に当接する上端エッジと当該上端エッジよりも下方の部分で前記垂直支柱に当接する中央当接部との間に屈曲して形成され、前記上端エッジと前記中央当接部とがそれぞれ前記垂直支柱に当接した状態のもとで、前記垂直支柱に取り付けられるクランプ部材と前記垂直支柱との間で挟み付けられる固定用屈曲部を、前記幅木本体の一方側部を屈曲して形成し、
前記固定用屈曲部の前記中央当接部から前記足場板に向けて傾斜し前記足場板に当接する下端エッジを有する弾性変形部を、前記幅木本体の他方側部を屈曲して形成し、
前記弾性変形部の弾性変形により前記下端エッジを前記足場板の側辺の位置に対応させてずらし、前記足場板の側辺上方を覆うことを特徴とする仮設作業台用の幅木。
【請求項３】
請求項１または２記載の仮設作業台用の幅木において、前記固定用屈曲部は前記垂直支柱に当接する前記上端エッジから傾斜して下方に伸びる第１屈曲部と、当該第１屈曲部から下方に真っ直ぐに伸びる第２屈曲部と、当該第２屈曲部から前記中央当接部に向けて屈曲する第３屈曲部とを有することを特徴とする仮設作業台用の幅木。
【請求項４】
請求項１または２記載の仮設作業台用の幅木において、前記固定用屈曲部は前記垂直支柱に当接する前記上端エッジから前記中央当接部に向けて円弧状に屈曲することを特徴とする仮設作業台用の幅木。
【請求項５】
請求項１〜４のいずれか１項に記載の仮設作業台用の幅木において、前記弾性変形部を前記中央当接部から前記下端エッジに向けて真っ直ぐに形成したことを特徴とする仮設作業台用の幅木。
【請求項６】
請求項１〜４のいずれか１項に記載の仮設作業台用の幅木において、前記弾性変形部を前記中央当接部から前記下端エッジに向けて円弧状に形成したことを特徴とする仮設作業台用の幅木。
【発明の詳細な説明】
【技術分野】
【０００１】
本発明は、仮設足場ユニット、仮設通路および仮設荷取構台等の仮設作業台に用いられる仮設作業台用の幅木に関する。
【背景技術】
【０００２】
中層ないし高層の建築物を建築する際には、作業者が建築物の外壁部の仕上げ作業等を行うために、仮設作業台として仮設足場ユニットが建築物の外側に設置される。仮設足場ユニットは、特許文献１に記載されるように、２本の鋼管製の垂直支柱とこれらの間に取り付けられた鋼管製の横架材つまり水平梁とを有する門形の足場フレームを有しており、この足場フレームは建枠とも言われている。
【０００３】
対をなす２つの足場フレームの水平梁の間に足場板を装着することによって、一対の仮設足場ユニットが組み立てられる。建築物を建築する際には多数対の仮設足場ユニットが建築物の外側に配置されることになり、門形の足場フレームは相互に対向するようにして建築物の外側に多数配置され、相互に隣り合う足場フレームの水平梁相互間に足場板が装着される。これにより、足場板は建築物の外側に建築物に沿うように連なって足場フレームに装着される。足場板としては、強度を確保するために、数センチメートルの厚みを有する足場布板と言われる長方形の部材が使用されている。
【０００４】
建築物を建築する際には、建築物の内部の梁材相互間等に組立式の仮設通路を仮設作業台として設けるようにしている。この仮設通路を作業者が移動することにより建築物の内部における建築作業を行うようにしている。このような仮設通路としては、例えば、特許文献２に記載されるものがある。また、建築物内部における内装工事を行うために、特許文献３に記載されるような移動式作業台が使用されている。さらに、土木工事等により地盤に形成された開口部を覆うように荷取構台と言われる仮設作業台を敷設し、荷取構台にトラックが乗り入れるようにしたり、作業者が移動したりできるようにしている。この仮設作業台としての荷取構台は建築物に形成された開口部を覆って作業台を形成するためにも使用されている。
【先行技術文献】
【特許文献】
【０００５】
【特許文献１】特開２００５−２２６３９１号公報
【特許文献２】特許２００２−３０８０４号公報
【特許文献３】特開２００６−１６８６６号公報
【発明の概要】
【発明が解決しようとする課題】
【０００６】
仮設足場ユニットにおける足場板は垂直支柱の間に伸びる水平梁に装着されるので、足場板の側辺と仮設足場ユニットの外面との間には、少なくとも垂直支柱の太さ分の隙間が発生する。しかも、足場板は一対の仮設足場ユニットに複数枚装着されるので、複数枚の足場板の合計の幅寸法は、足場板を水平梁に装着する際の作業性を高めるために、水平梁の全長よりも短くなるように設定されている。このため、足場板と垂直支柱との間にも隙間が発生することになる。
【０００７】
上述のように、作業者が建築物の外壁部の仕上げ作業等を行う際には、足場フレームに装着される足場板の上を移動しながら作業を行うことになるので、作業時に足場板から工具等が落下すると、安全な建築作業を行うことができなくなる。このため、足場板の側辺に沿うように足場フレームの垂直支柱には幅木を取り付けるようにしている。幅木は、足場布板と同様に、従来では、数センチメートルの厚みの部材が使用されている。仮設足場ユニットに足場板の両側に対応させて幅木を取り付けると、足場板の左右両側からの物体の落下を防止することができるが、仮設足場ユニットの外側面つまり建築物に対して反対側の面に安全ネットが装着されて安全ネットで物体の落下を防止するようにした場合には、幅木は足場板の建築物側の側辺側にのみ取り付けることもできる。
【０００８】
足場板と垂直支柱との間に上述のように隙間が発生し、その隙間が幅木の厚み寸法以上となると、幅木を足場ユニットに装着しても、足場板と幅木との間に隙間が発生し、工具等が足場板と幅木との間の隙間から落下するおそれがある。このため、従来のように、布板のような厚みのある幅木を足場ユニットに装着するようにすると、隙間寸法によっては２枚の幅木を重ねた状態として立て掛ける必要があり、幅木の取付作業を容易に行うことが困難である。しかも、隙間に対応させてこれを覆うように幅木を取り付けることはできない。
【０００９】
さらに、上述した仮設通路や仮設荷取構台は、相互に平行となって配置される複数本の水平梁材を有し、水平梁材には横方向に伸びる水平棒材が取り付けられ、水平棒材には足場板が装着される。水平梁材には所定の間隔毎に手摺り用の垂直支柱が設けられ、垂直支柱相互間には水平の手摺り棒材が取り付けられるようになっており、手摺り用の垂直支柱と手摺り用の棒材とにより手摺りが形成される。これにより、仮設通路における作業者の安全が確保され、仮設荷取構台の上における車両の安全走行や作業者による安全作業が確保されている。
【００１０】
このような仮設通路や仮設荷取構台のような仮設作業台においては、手摺り用の垂直支柱に幅木を取り付けるようにしているが、従来の幅木を用いて足場板の側辺を覆うようにすると、足場板と幅木との間に隙間が発生し、工具等が足場板と幅木との間の隙間から落下するおそれがある。このため、従来のように、布板のような厚みのある幅木を仮設通路や仮設荷取構台に装着するようにすると、隙間寸法によっては２枚の幅木を重ねた状態として立て掛ける必要があり、幅木の取付作業を容易に行うことが困難である。しかも、隙間に対応させてこれを覆うように幅木を取り付けることはできない。
【００１１】
本発明の目的は、仮設足場ユニット、仮設通路および仮設荷取構台等の仮設作業台に対する幅木の取付作業を容易に行い得るようにすることにある。
【００１２】
本発明の他の目的は、足場板と垂直支柱との間に隙間寸法が種々の寸法となっても、足場板と幅木との間に隙間が発生することを防止することができるようにすることにある。
【課題を解決するための手段】
【００１３】
本発明の仮設作業台用の幅木は、それぞれ２本の垂直支柱の相互間に水平梁が取り付けられた門形の足場フレームを有し、相互に対向して配置された前記足場フレームの前記水平梁に足場板が装着される仮設足場ユニットにおける前記足場板の側辺から物体が落下するのを防止する仮設作業台用の幅木であって、弾性変形する部材により形成され、前記足場板の側辺に沿って水平方向に伸びて前記垂直支柱に取り付けられる帯状の幅木本体を有し、前記垂直支柱に当接する上端エッジと当該上端エッジよりも下方の部分で前記垂直支柱に当接する中央当接部との間に屈曲して形成され、前記上端エッジと前記中央当接部とがそれぞれ前記垂直支柱に当接した状態のもとで、前記垂直支柱に取り付けられるクランプ部材と前記垂直支柱との間で挟み付けられる固定用屈曲部を、前記幅木本体の一方側部を屈曲して形成し、前記固定用屈曲部の前記中央当接部から前記足場板に向けて傾斜し前記足場板に当接する下端エッジを有する弾性変形部を、前記幅木本体の他方側部を屈曲して形成し、前記弾性変形部の弾性変形により前記下端エッジを前記足場板の側辺の位置に対応させてずらし、前記足場板の側辺上方を覆うことを特徴とする。
【００１４】
本発明の仮設作業台用の幅木は、相互に平行に敷設されるとともにそれぞれ手摺り用の垂直支柱が設けられる複数の水平梁材の間に前記水平梁材に対して横方向に伸びて支持棒材が取り付けられ、当該支持棒材に足場板が装着される仮設通路ないし仮設作業台における前記足場板の側辺から物体が落下するのを防止する仮設作業台用の幅木であって、弾性変形する部材により形成され、前記足場板の側辺に沿って水平方向に伸びて前記垂直支柱に取り付けられる帯状の幅木本体を有し、前記垂直支柱に当接する上端エッジと当該上端エッジよりも下方の部分で前記垂直支柱に当接する中央当接部との間に屈曲して形成され、前記上端エッジと前記中央当接部とがそれぞれ前記垂直支柱に当接した状態のもとで、前記垂直支柱に取り付けられるクランプ部材と前記垂直支柱との間で挟み付けられる固定用屈曲部を、前記幅木本体の一方側部を屈曲して形成し、前記固定用屈曲部の前記中央当接部から前記足場板に向けて傾斜し前記足場板に当接する下端エッジを有する弾性変形部を、前記幅木本体の他方側部を屈曲して形成し、前記弾性変形部の弾性変形により前記下端エッジを前記足場板の側辺の位置に対応させてずらし、前記足場板の側辺上方を覆うことを特徴とする。
【００１５】
本発明の仮設作業台用の幅木においては、前記固定用屈曲部は前記垂直支柱に当接する前記上端エッジから傾斜して下方に伸びる第１屈曲部と、当該第１屈曲部から下方に真っ直ぐに伸びる第２屈曲部と、当該第２屈曲部から前記中央当接部に向けて屈曲する第３屈曲部とを有することを特徴とする。本発明の仮設作業台用の幅木においては、前記固定用屈曲部は前記垂直支柱に当接する前記上端エッジから前記中央当接部に向けて円弧状に屈曲することを特徴とする。本発明の仮設作業台用の幅木は、前記弾性変形部を前記中央当接部から前記下端エッジに向けて真っ直ぐに形成したことを特徴とする。本発明の仮設作業台用の幅木は、前記弾性変形部を前記中央当接部から前記下端エッジに向けて円弧状に形成したことを特徴とする。
【発明の効果】
【００１６】
本発明によれば、幅木本体が弾性変形する帯状の部材を屈曲加工することにより形成されており、足場板に当接する下端エッジを有する弾性変形部が幅木本体に設けられているので、仮設作業台に装着される足場板と垂直支柱との間に隙間寸法が種々の寸法となっても、弾性変形部を変形させて足場板と幅木との間に隙間が発生することを防止することができる。しかも、幅木本体は帯状材料により形成されているので、軽量であり、幅木の仮設作業台に対する取付作業を容易に行うことができる。
【図面の簡単な説明】
【００１７】
【図１】仮設作業台としての一対の足場ユニットに幅木が取り付けられた状態を示す斜視図である。
【図２】建築中の建築物の外側に複数段に設置された足場ユニットの一部を示す正面図である。
【図３】図２におけるＡ部の拡大正面図である。
【図４】幅木を示す一部省略斜視図である。
【図５】（Ａ）は図３に示された幅木の拡大断面図であり、（Ｂ）〜（Ｄ）はそれぞれ幅木の変形例を示す断面図である。
【図６】仮設作業台としての仮設通路に幅木が取り付けられた状態を示す斜視図である。
【発明を実施するための形態】
【００１８】
図１に示すように、仮設作業台としての足場ユニット１０は足場フレーム１１を有している。足場フレーム１１は２本の垂直支柱１２，１３とこれらの間に取り付けられる水平梁１４とにより門形となっており建枠とも言われる。垂直支柱１２，１３と水平梁１４は、鋼製の丸パイプつまり鋼管により形成されている。それぞれの垂直支柱１２，１３には上下に止め金具１５が足場フレーム１１の内方に向けて突出しており、２つの足場フレーム１１を相互に対向して配置するとともに、対向し合う足場フレーム１１の止め金具１５に筋交い１６を取り付けることにより、２つの足場フレーム１１により一対の足場ユニット１０が組み立てられる。一対の足場ユニット１０の水平梁１４には、足場布板とも言われる足場板１７が装着されるようになっている。
【００１９】
図１に示す足場ユニット１０には、２つの足場板１７が装着されるようになっており、それぞれの足場板１７の両端部には、水平梁１４に引っ掛けられるフック１８が設けられている。足場ユニット１０が建築物の外面に水平方向に沿うように建築物の距離に応じた数の足場ユニット１０が建築物の外側に配置される。さらに、建築作業が進行するに伴って建築物の高さに応じて順次上側に足場ユニット１０が積み重ねられることになる。それぞれの垂直支柱１２，１３の下端部には、図３に示すように、下段側の垂直支柱１２，１３内に嵌め込まれるピン１９が取り付けられている。
【００２０】
図１には足場ユニット１０の上に積み重ねられた上層側の他の足場ユニット１０の一部が示されている。また、図２には、最下段の足場ユニット１０（ａ）と、その上段に積み重ねられた足場ユニット１０（ｂ）と、その上段に積み重ねられた足場ユニット１０（ｃ）との３段の足場ユニット１０が示されており、最下段の足場ユニット１０（ａ）はその一部のみが示されている。図２に示すように、建築物Ｂの高さに応じて足場ユニット１０を上下方向に積み重ねるとともに、建築物Ｂに水平方向に沿わせて複数の足場ユニット１０を配置することによって、建築物の外面は特許文献１に記載されるように複数の足場ユニット１０により覆われることになる。
【００２１】
建築物Ｂ側、つまり足場ユニット１０の内側の垂直支柱１２と、建築物Ｂに対して反対側つまり外側の垂直支柱１３のそれぞれには、足場板１７の側辺に沿うように幅木２０が水平方向に伸びて取り付けられるようになっている。幅木２０を垂直支柱１２，１３に取り付けるために、垂直支柱１２，１３には、Ｌ字形状の棒材からなるクランプ部材３１が設けられたクランプ具本体３２が着脱自在に装着されている。
【００２２】
幅木２０は例えば１ｍｍ程度の厚みの鉄板からなる帯状の幅木本体２０ａを屈曲加工することにより形成されている。図４および図５（Ａ）に示すように、幅木本体２０ａの一方側部、つまり幅木２０が足場ユニット１０に取り付けられた状態のもとでは上側部となる部分には、固定用屈曲部２１が形成されている。固定用屈曲部２１は、垂直支柱１２，１３に当接する上端エッジ２２からこの上端エッジ２２よりも下方の部分で垂直支柱１２，１３に当接する中央当接部２３との間に屈曲して形成されている。
【００２３】
図４および図５（Ａ）に示すように、固定用屈曲部２１は、幅木２０が足場ユニット１０に取り付けられた状態のもとでは、上端エッジ２２から下方に傾斜して伸びる第１屈曲部２１ａと、この第１屈曲部２１ａの内方端から下方に伸びる第２屈曲部２１ｂと、この第２屈曲部２１ｂから中央当接部２３に向けて垂直支柱１２，１３に対して接近するように傾斜した第３屈曲部２１ｃとを有している。垂直支柱１２，１３に着脱自在に装着されるクランプ具本体３２のクランプ部材３１により幅木２０を足場ユニット１０に対して固定するときには、クランプ部材３１の先端部が第２屈曲部２１ｂに当接し、垂直支柱１２，１３とクランプ部材３１との間で固定用屈曲部２１が挟み付けられることになる。クランプ具本体３２は幅木２０の固定用屈曲部２１の内側に位置させて垂直支柱１２，１３に固定されるようになっており、クランプ部材３１は固定用屈曲部２１に回り込むように折り曲げられている。
【００２４】
幅木本体２０ａの他方側部、つまり幅木２０が足場ユニット１０に取り付けられた状態のもとでは下側部となる部分には、中央当接部２３から足場板１７に向けて足場ユニット１０の内方に屈曲して真っ直ぐに伸びる弾性変形部２４が形成されている。この弾性変形部２４の下端には足場板１７に当接する下端エッジ２５が設けられている。幅木本体２０ａは板金を屈曲加工することにより形成されているので、全体的に図５において左右方向に弾性変形自在となっており、真っ直ぐに伸びる弾性変形部２４は、中央当接部２３を中心として下端エッジ２５が図５において左右方向、つまり足場ユニット１０の幅方向に変位自在となっている。
【００２５】
図２に示される足場ユニット１０（ｂ）においては、水平梁１４の中央部に２つの足場板１７が装着された状態として示されており、足場ユニット１０（ｂ）の内側の垂直支柱１２と、外側の垂直支柱１３とのそれぞれに取り付けられた幅木２０は、それぞれの幅木２０の下端エッジ２５が足場板１７の側辺にほぼ当接する状態となっている。これにより、足場板１７の側辺から上方に立ち上がるように幅木２０が配置され、足場板１７の左右両辺は幅木２０により覆われ、工具等が足場板１７から作業者の不注意によって落下することが防止される。
【００２６】
一方、足場ユニット１０（ａ）においては、水平梁１４に対して足場板１７が図２において左側つまり足場ユニット１０（ａ）の外側にずれて装着された状態が示されている。したがって、足場板１７の左右両側と垂直支柱１２，１３との間の隙間は左右で相違することになるが、それぞれの弾性変形部２４を中央当接部２３を中心として下端エッジ２５を左右方向にずらすことにより、左右の幅木２０のそれぞれの下端エッジ２５を足場板１７の側辺に当接させて、足場板１７と幅木２０との間に隙間が発生することを防止することができる。
【００２７】
つまり、内側の垂直支柱１２に取り付けられる幅木２０の弾性変形部２４は、その下端エッジ２５を左側にずらすように弾性変形され、外側の垂直支柱１３に取り付けられる幅木２０の弾性変形部２４は、その下端エッジ２５を図２において左側の足場板１７の上面に当接させるように弾性変形される。これにより、足場板１７と幅木２０との間に隙間が発生することが防止される。図５（Ａ）において、二点鎖線により弾性変形部２４が左右方向に弾性変形し、下端エッジ２５が左右方向にずれた状態を示す。
【００２８】
幅木２０を足場ユニット１０に取り付けるには、クランプ部材３１を緩めた状態のもとで、下端エッジ２５を足場板１７に当接させた後に、クランプ部材３１をクランプ具本体３２に設けられたねじ部材を締結する。これにより、幅木２０の足場ユニット１０に対する取付作業を容易に行うことができる。しかも、足場板と垂直支柱との間にどのような隙間寸法が発生しても、足場板と幅木との間に隙間が発生することを防止することができる。
【００２９】
本発明の幅木２０は、従来の幅木のように厚みが数センチメートルとなった剛性の部材ではなく、例えば厚みが１ミリメートル程度の薄板からなる板金を屈曲加工することにより形成されているので、軽量構造となっており、容易に運搬することができる。しかも、軽量構造となるとともに、屈曲加工することにより幅木２０は全体的に加工硬化によって、薄板からなる板金材料を用いても幅木２０としての強度が確保される。
【００３０】
図２に示すように、幅木２０は足場ユニット１０の内側つまり垂直支柱１２側と、足場ユニット１０の外側つまり垂直支柱１３側とに取り付けられているが、足場ユニット１０の外側に図示しない安全ネットが取り付けられ、安全ネットにより工具等の物体の落下が防止されるのであれば、足場ユニット１０の外側には幅木２０を取り付けることを省略することができる。
【００３１】
幅木２０は図４に示されるように幅方向に向けて屈曲して形成されているので、複数枚の幅木２０を積み重ねると、屈曲部相互の重なりによって、重なった状態の幅木２０が幅方向にずれることが防止され、積み重ねた状態で容易に運搬したり保管したりすることができる。これにより、運搬する際には限られたスペースで多数枚の幅木２０を運搬することができるとともに、限られたスペースに多数枚の幅木２０を保管することができる。しかも、長手方向には真っ直ぐになっているので、一定の長さの幅木２０の端部どうしを重ねた状態として一直線上に幅木を連ならせることができ、重なった部分の厚みは幅木２０が薄板により形成されているので、従来に比して極めて薄くなり、作業者が足場板１７の上を歩行する際に重なり部分が邪魔になることがない。
【００３２】
幅木２０の材質としては、中央当接部２３を中心として弾性変形部２４が撓んで下端エッジ２５の位置を足場板１７の側辺の位置に応じてずらすことができれば、金属材料に限られず、軟質の樹脂等の他のものを使用することができる。
【００３３】
図５（Ｂ）〜図５（Ｄ）は、それぞれ幅木２０の他の具体例を示す断面図である。図５（Ｂ）に示す幅木２０は、足場ユニット１０に取り付けられた状態のもとで固定用屈曲部２１が垂直支柱１２，１３に当接する上端エッジ２２から中央当接部２３に向けて円弧状に屈曲する円弧状部となっており、中央当接部２３は上下方向に幅を有している。また、図５（Ｃ）に示す幅木２０は、固定用屈曲部２１の第１屈曲部２１ａが上端エッジ２２から水平方向に伸びており、他の形状は図５（Ａ）に示した幅木２０と同様となっている。
図５（Ｄ）に示す幅木２０は、固定用屈曲部２１が図５（Ｂ）に示したものと同様に円弧形状となっており、中央当接部２３は固定用屈曲部２１に対して反対側に湾曲した円弧状部となっている。さらに、弾性変形部２４は中央当接部２３から下端エッジ２５に向けて円弧状に屈曲されている。このように、円弧形状に蛇行させるようにして固定用屈曲部２１と弾性変形部２４とを形成するようにしても、図５（Ａ）に示した幅木２０と同様に足場板１７と幅木２０との間に隙間が発生することを防止できる。なお、図５（Ａ）〜図５（Ｃ）に示す弾性変形部２４を図５（Ｄ）に示すように円弧状に屈曲させるようにしても良く、図５（Ｄ）に示す弾性変形部２４を真っ直ぐに形成するようにしても良い。
【００３４】
図６は仮設作業台としての仮設通路に幅木が取り付けられた状態を示す斜視図である。仮設通路４０は相互に平行に敷設される２本の水平梁材４１，４２を有している。それぞれの水平梁材４１，４２は、図示する場合には、断面四角形の鋼材により形成されているが、Ｉ型鋼やＨ型鋼などの種々の型鋼材により形成される。水平梁材４１，４２の間には水平梁材４１，４２に対して横方向に伸びる支持棒材４３が取り付けられている。支持棒材４３は図６においては２本のみが図示されているが、所定の間隔置きに複数本の支持棒材４３が水平梁材４１，４２の間に取り付けられている。水平梁材４１の長手方向に隣り合う支持棒材４３には、足場板１７が装着されるようになっており、足場板１７の両端部に設けられたフック１８を支持棒材４３に引っ掛けることにより、足場板１７は支持棒材４３に装着される。図６に示される仮設通路４０は、水平梁材４１，４２相互間の寸法が、３枚の足場板１７の合計幅にほぼ対応した間隔を有する幅となっている。
【００３５】
それぞれの水平梁材４１，４２には、手摺り用の垂直支柱４４が所定の間隔毎に設けられており、垂直支柱４４の相互間には水平の手摺り用の棒材４５が取り付けられるようになっており、手摺り用の垂直支柱４４と手摺り用の棒材４５とにより手摺りが形成される。これにより、仮設通路４０における作業者の安全が確保される。
【００３６】
垂直支柱４４には、図６に示されるように、幅木２０が装着されるようなっている。図示する幅木２０は、図１および図５（Ａ）に示した幅木２０と同一のものであり、垂直支柱４４に対する幅木２０の取付は、図１に示した場合と同様にクランプ部材により行われる。ただし、図６においてはクランプ部材が省略されている。
【００３７】
幅木２０を仮設通路４０に取り付けるには、下端エッジ２５を足場板１７に当接させた状態のもとで、図示しないクランプ部材を垂直支柱４４に締結する。これにより、幅木２０の仮設通路４０に対する取付作業を容易に行うことができる。しかも、足場板と垂直支柱との間にどのような隙間寸法が発生しても、足場板と幅木との間に隙間が発生することを防止することができる。
【００３８】
本発明の幅木２０は、上述のように、薄板からなる板金を屈曲加工することにより形成されているので、軽量構造となっており、容易に運搬することができる。しかも、軽量構造となるとともに、屈曲加工することにより幅木２０は全体的に加工硬化によって、薄板からなる板金材料を用いても幅木２０としての強度が確保される。
【００３９】
しかも、複数枚の幅木２０を積み重ねると、屈曲部相互の重なりによって、重なった状態の幅木２０が幅方向にずれることが防止され、積み重ねた状態で容易に運搬したり保管したりすることができる。しかも、長手方向には真っ直ぐになっているので、一定の長さの幅木２０の端部どうしを重ねた状態として一直線上に幅木を連ならせることができ、重なった部分の厚みは幅木２０が薄板により形成されているので、従来に比して極めて薄くなり、作業者が足場板１７の上を歩行する際に重なり部分が邪魔になることがない。このように、幅木２０を足場ユニット１０に装着する場合と同様の効果が得られることになる。仮設通路４０に使用される幅木２０としては、図５（Ｂ）〜（Ｄ）に示したようにどのような形状のものを使用するようにしても良い。
【００４０】
さらに、幅木２０は、仮設作業台としての荷取構台の手摺り用の垂直支柱に取り付けることもできる。荷取構台は土木工事等により地盤に形成された開口部を覆うためや、建築物に形成された開口部を覆うために使用される。荷取構台にトラック等の車両が乗り入れるようにしたり、作業者が移動したりできるようにしており、荷取構台は、図６に示される仮設通路と基本構造は同様であり、相互に平行に敷設される複数の水平梁材を有し、水平梁材に取り付けられた支持棒材には足場板が装着される。足場板の側辺を覆うように、手摺り用の垂直支柱には、図５（Ａ）〜（Ｄ）に示したいずれかの形状の幅木２０が装着される。これにより、仮設作業台としての荷取構台からの工具等の落下を防止することができる。
【００４１】
仮設通路４０は複数本の水平梁材４１，４２を有し、荷取構台も複数本の水平梁材を有している。図６においては、２本の水平梁材４１，４２のそれぞれに手摺り用の垂直支柱４４を設けて、幅木２０を足場板１７の両側に配置するようにしているが、いずれか一方の水平梁材に手摺り用の垂直支柱４４を設け、それに幅木２０を装着するようにしても良い。また、それぞれの水平梁材４１，４２に垂直支柱４４を設け、一方の水平梁材に設けられた垂直支柱４４に幅木２０を装着するようにしても良い。このことは、荷取構台における幅木についても同様である。
【００４２】
本発明は前記実施の形態に限定されるものではなく、その要旨を逸脱しない範囲で種々変更可能である。例えば、幅木２０の形状としては、薄板からなる帯状の幅木本体を屈曲ないし湾曲させて固定用屈曲部２１と弾性変形部２４とを有するものであれば、図示する形状に限定されるものではない。
【符号の説明】
【００４３】
１０      足場ユニット
１１      足場フレーム
１２，１３      垂直支柱
１４      水平梁
１５      止め金具
１６      筋交い
１７      足場板
１８      フック
２０      幅木
２１      固定用屈曲部
２１ａ    第１屈曲部
２１ｂ    第２屈曲部
２１ｃ    第３屈曲部
２１ｄ    第１円弧状部
２１ｅ    第２円弧状部
２２      上端エッジ
２３      中央当接部
２４      弾性変形部
２５      下端エッジ
３１      クランプ部材
３２      クランプ具本体
４０      仮設通路
４１，４２  水平梁材
４３      支持棒材
４４      手摺り用の垂直支柱
４５      手摺り用の棒材
【図１】
0005468319.tif 000002
【図２】
0005468319.tif 000003
【図３】
0005468319.tif 000004
【図４】
0005468319.tif 000005
【図５】
0005468319.tif 000006
【図６】
0005468319.tif 000007